(57)【要約】【課題】ベッド上に横たわっている被介護者を例えば車いす等に移し、又は床上に立たせる際における介護者の身体的負担を軽減させるようにした介護用ベッドを提供する。【解決手段】ベッドフレーム１の左右両側部にはそれぞれ案内レール３を配設し、各案内レールは被介護者の足部側端にて下方に折り返してなる折り返し部３ａを備え、該ベッドフレーム上には被介護者の頭部と背部とを支持する上部支持体５と、被介護者の腰部を支持する腰部支持体７と、被介護者の脚部を支持する脚部支持体９とを該ベッドフレームの長さ方向に連結してなる被介護者支持体１１を配設し、該上部支持体は該腰部支持体に対し起伏自在となし、該腰部支持体と該脚部支持体とは各案内レールに沿って該ベッドフレームの長さ方向に進退自在となし、該脚部支持体は該案内レールにおける該折り返し部に沿って屈曲自在となす。【選択図】図１
2015119907.tif 000002
【特許請求の範囲】
【請求項１】
ベッドフレームの左右両側部にはそれぞれ案内レールを配設し、各案内レールは被介護者の足部側端にて下方に折り返してなる折り返し部を備え、該ベッドフレーム上には被介護者の頭部と背部とを支持する上部支持体と、被介護者の腰部を支持する腰部支持体と、被介護者の脚部を支持する脚部支持体とを該ベッドフレームの長さ方向に連結してなる被介護者支持体を配設し、
該上部支持体は該腰部支持体に対し起伏自在となし、該腰部支持体と該脚部支持体とは各案内レールに沿って該ベッドフレームの長さ方向に進退自在となし、該脚部支持体は該案内レールにおける該折り返し部に沿って屈曲自在となし、
該上部支持体を起伏させるための起伏手段を備えさせ、該腰部支持体と該脚部支持体とを該ベッドフレームの長さ方向に進退させるための進退手段を備えさせ、
以て、該起伏手段により該上部支持体を起こすと共に該進退手段により該腰部支持体と該脚部支持体とを該ベッドフレームにおける被介護者の足部側端方向に動かして該脚部支持体を各案内レールにおける該折り返し部に位置させることにより、被介護者がベッドフレームの該足部側端にて腰部を該腰部支持体上に位置させたまま上半身を起こした状態で脚部を屈曲した該脚部支持体に沿って垂下させるようにしたことを特徴とする介護用ベッド。
【請求項２】
前記脚部支持体は、それぞれ下方に向かって徐々に幅が狭くなる複数の断面略三角形状体を上縁にて相互に屈曲自在に連結し、各略三角形状体に支軸を突設し、前記案内レールには該案内レールに沿って動く可動軸を配設し、各支軸に連結杆の一端を回動自在に取り付けると共に該連結杆の他端を各可動軸に回動自在に取り付けてなることを特徴とする請求項１に記載の介護用ベッド。
【請求項３】
前記ベッドフレーム上には内側フレームを該ベッドフレームの長さ方向に進退自在に配設し、該内側フレーム内には前記腰部支持体を固定すると共に前記上部支持体を前記起伏手段により最下位置まで下げたときに該上部支持体が該腰部支持体と共に該内側フレーム内に嵌るようになし、
該上部支持体を起伏させるための起伏手段は、該内側フレームに第一雄ねじ棒を回転自在かつ進退不能に、該ベッドフレームの長さ方向に取り付け、該第一雄ねじ棒に第一雌ねじ体を螺合させ、該第一雌ねじ体に作用杆の一端を回動自在に取り付け、該作用杆の他端を該上部支持体に回動自在に取り付けてなることを特徴とする請求項１又は２に記載の介護用ベッド。
【請求項４】
前記腰部支持体と脚部支持体とをベッドフレームの長さ方向に進退させるための進退手段は、前記ベッドフレームに第二雄ねじ棒を回転自在かつ進退不能に、該ベッドフレームの長さ方向に取り付け、前記内側フレームには第二雌ねじ体を取り付け、該第二雌ねじ体を該第二雄ねじ棒に螺合させてなることを特徴とする請求項３に記載の介護用ベッド。
【発明の詳細な説明】
【技術分野】
【０００１】
本発明は、介護用ベッドに関するものであり、特に、ベッド上に横たわっている被介護者を例えば車いす等に移し、又は床上に立たせる際における介護者の身体的負担を軽減させるようにした介護用ベッドに係るものである。
【背景技術】
【０００２】
背もたれ部を起伏自在となしたベッド（以下「従来のベッド」という。）は、例えば特開２００３−３８９号公報に示すように、従来より知られている。
【先行技術文献】
【特許文献】
【０００３】
【特許文献１】特開２００３−３８９号公報
【発明の概要】
【発明が解決しようとする課題】
【０００４】
上記従来のベッドは、背もたれ部を起こすことによりベッド上の被介護者の上半身を起こすことができるのであるが、このように被介護者の上半身を起こしたときでもベッド上における被介護者の下半身の位置は変わらない。したがって、従来のベッドを介護用に用いた場合には、上半身を起こした状態の被介護者を例えば車いすに移し、又は床上に立たせる際には、介護者に大きな身体的負担を強いることになる。
【０００５】
従来のベッドを介護用に用いた場合における上述の如き問題に鑑み、本発明は、ベッド上に横たわっている被介護者を例えば車いす等に移し、又は床上に立たせる際における介護者の身体的負担を軽減させるようにした介護用ベッドを提供しようとしてなされたものである。
【課題を解決するための手段】
【０００６】
上記課題を解決するために、本発明は、下記の介護用ベッドを提供するものである。
【０００７】
（１）ベッドフレームの左右両側部にはそれぞれ案内レールを配設し、各案内レールは被介護者の足部側端にて下方に折り返してなる折り返し部を備え、該ベッドフレーム上には被介護者の頭部と背部とを支持する上部支持体と、被介護者の腰部を支持する腰部支持体と、被介護者の脚部を支持する脚部支持体とを該ベッドフレームの長さ方向に連結してなる被介護者支持体を配設し、
該上部支持体は該腰部支持体に対し起伏自在となし、該腰部支持体と該脚部支持体とは各案内レールに沿って該ベッドフレームの長さ方向に進退自在となし、該脚部支持体は該案内レールにおける該折り返し部に沿って屈曲自在となし、
該上部支持体を起伏させるための起伏手段を備えさせ、該腰部支持体と該脚部支持体とを該ベッドフレームの長さ方向に進退させるための進退手段を備えさせ、
以て、該起伏手段により該上部支持体を起こすと共に該進退手段により該腰部支持体と該脚部支持体とを該ベッドフレームにおける被介護者の足部側端方向に動かして該脚部支持体を各案内レールにおける該折り返し部に位置させることにより、被介護者がベッドフレームの該足部側端にて腰部を該腰部支持体上に位置させたまま上半身を起こした状態で脚部を屈曲した該脚部支持体に沿って脚部を垂下させるようにしたことを特徴とする介護用ベッド（請求項１）。
【０００８】
（２）前記脚部支持体は、それぞれ下方に向かって徐々に幅が狭くなる複数の断面略三角形状体を上縁にて相互に屈曲自在に連結し、各略三角形状体に支軸を突設し、前記案内レールには該案内レールに沿って動く可動軸を配設し、各支軸に連結杆の一端を回動自在に取り付けると共に該連結杆の他端を各可動軸に回動自在に取り付けてなる（請求項２）。
【０００９】
（３）前記ベッドフレーム上には内側フレームを該ベッドフレームの長さ方向に進退自在に配設し、該内側フレーム内には前記腰部支持体を固定すると共に前記上部支持体を前記起伏手段により最下位置まで下げたときに該上部支持体が該腰部支持体と共に該内側フレーム内に嵌るようになし、
該上部支持体を起伏させるための起伏手段は、該内側フレームに第一雄ねじ棒を回転自在かつ進退不能に、該ベッドフレームの長さ方向に取り付け、該第一雄ねじ棒に第一雌ねじ体を螺合させ、該第一雌ねじ体に作用杆の一端を回動自在に取り付け、該作用杆の他端を該上部支持体に回動自在に取り付けてなる（請求項３）。
【００１０】
（４）前記腰部支持体と脚部支持体とをベッドフレームの長さ方向に進退させるための進退手段は、前記ベッドフレームに第二雄ねじ棒を回転自在かつ進退不能に、該ベッドフレームの長さ方向に取り付け、前記内側フレームには第二雌ねじ体を取り付け、該第二雌ねじ体を該第二雄ねじ棒に螺合させてなる（請求項４）。
【発明の効果】
【００１１】
[請求項１の発明]
請求項１の発明によれば、ベッド上に横たわっている被介護者を例えば車いす等に移し、又は床上に立たせる際には、起伏手段により上部支持体を起こすと共に進退手段により腰部支持体と脚部支持体とをベッドフレームにおける被介護者の足部側端方向に動かして該脚部支持体を各案内レールにおける該折り返し部に位置させることにより、被介護者がベッドフレームの該足部側端にて腰部を該腰部支持体上に位置させたまま上半身を起こした状態で脚部を屈曲した該脚部支持体に沿って垂下させることができる（図６参照）。このような姿勢にある被介護者を例えば車いす等に移し、又は床上に立たせることは介護者にとって容易である。すなわち、介護者は、ベッド上に横たわっている被介護者を両腕で抱えて起し、ベッドの端まで運んだ後、車いす等に移し、又は床上に立たせるという大きな労力を要する作業を行う必要がない。したがって、介護者の身体的な負担が著しく軽減される。
【００１２】
また、被介護者をベッド上に横たわった状態に戻す際には、上記と逆の手順を行えばよい。したがって、この場合にも、介護者の身体的な負担が著しく軽減される。
【００１３】
一方、被介護者にとっては、介護者に過酷な重労働を強いるという心理的負担から解放される。
【００１４】
[請求項２の発明]
脚部支持体は、案内レールにおける折り返し部に沿って円滑に屈曲する。
【００１５】
[請求項３の発明]
起伏手段における第一雄ねじ棒を所定の方向に回転させることにより、第一雌ねじ体が所定の方向に動き、上部支持体を所望の角度まで容易かつ確実に上げることができる。また、起伏手段における第一雄ねじ棒を反対の方向に回転させることにより、第一雌ねじ体が反対の方向に動き、上部支持体を所望の角度まで容易かつ確実に下げることができる。
【００１６】
[請求項４の発明]
進退手段における第二雄ねじ棒を所定の方向に回転させることにより、内側フレームに取り付けた第二雌ねじ体が所定の方向に動き、腰部支持体と脚部支持体とをベッドフレームの長さ方向における所定の位置まで容易かつ確実に動かすことができる。また、進退手段における第二雄ねじ棒を反対の方向に回転させることにより、内側フレームに取り付けた第二雌ねじ体が反対の方向に動き、腰部支持体と脚部支持体とをベッドフレームの長さ方向における元の位置まで容易かつ確実に戻すことができる。なお、上部支持体は腰部支持体に連結されているため、該上部支持体は該腰部支持体と共に進退する。
【図面の簡単な説明】
【００１７】
【図１】図１は、本発明による介護用ベッドの一例を示す側面図である。
【図２】図２は、上部支持体を起伏させるための起伏手段の一例を示す側面図である。
【図３】図３は、脚部支持体の一例を示す断面図である。
【図４】図４は、同上脚部支持体の側面図である。
【図５】図５は、本発明による介護用ベッドの一例を示す平面図である。
【図６】図６は、本発明による介護用ベッドの一例において、脚部支持体が案内レールにおける折り返し部に達するまで被介護者支持体を動かした状態を示す側面図である。
【発明を実施するための形態】
【００１８】
符号１に示すものは介護用ベッドにおけるベッドフレームである。ベッドフレーム１の左右両側部にはそれぞれ案内レール３、３を配設する。各案内レール３は被介護者の足部側端（図１、図５、図６における右側端）にて下方に折り返してなる折り返し部３ａを備えている。
【００１９】
ベッドフレーム１上には被介護者の頭部と背部とを支持する上部支持体５と、被介護者の腰部を支持する腰部支持体７と、被介護者の脚部を支持する脚部支持体９とを該ベッドフレーム１の長さ方向（図１、図５、図６における左右方向）に連結してなる被介護者支持体１１を配設する。
【００２０】
上部支持体５は腰部支持体７に対し起伏自在となし、該腰部支持体７と脚部支持体９とは各案内レール３、３に沿って該ベッドフレーム１の長さ方向に進退自在となし、該脚部支持体９は該案内レール３、３における折り返し部３ａ、３ａに沿って屈曲自在となす。
【００２１】
上部支持体５を起伏させるための起伏手段１３を備えさせ、腰部支持体７と脚部支持体９とをベッドフレーム１の長さ方向に進退させるための進退手段１５を備えさせる。
【００２２】
以て、起伏手段１３により上部支持体５を起こすと共に進退手段１５により腰部支持体７と脚部支持体９とをベッドフレーム１における被介護者の足部側端方向（図１、図５、図６における右方）に動かして該脚部支持体９を各案内レール３、３における折り返し部３ａ、３ａに位置させることにより、被介護者がベッドフレーム１の足部側端にて腰部を腰部支持体７上に位置させたまま上半身を起こした状態で脚部を屈曲した該脚部支持体９に沿って垂下させるようになす。図６参照。
【００２３】
脚部支持体９は、一例として図１、図３、図４に示すように、それぞれ下方に向かって徐々に幅が狭くなる複数の断面略三角形状体１７、１７・・・を上縁１７ａ、１７ａ・・・にて相互に屈曲自在に連結し、各略三角形状体１７に支軸１９を突設し、前記案内レール３、３には該案内レール３、３に沿って動く可動軸２１、２１・・・を配設し、各支軸１９に連結杆２３の一端２３ａを回動自在に取り付けると共に該連結杆２３の他端２３ｂを各可動軸２１に回動自在に取り付けてなるものである。図示の事例においては、複数の支軸１９、１９・・・と複数の可動軸２１、２１・・・とを複数の連結杆２３、２３・・・を介してジグザグ状に連結している。
【００２４】
腰部支持体７には支軸２５を突設し、案内レール３、３には該案内レール３、３に沿って動く可動軸２７を配設し、該支軸２５と該可動軸２７とを連結杆２９を介して連結する。
【００２５】
前記ベッドフレーム１上には内側フレーム３０を該ベッドフレーム１の長さ方向に進退自在に配設し、該内側フレーム３０内には前記腰部支持体７を固定すると共に前記上部支持体５を前記起伏手段１３により最下位置まで下げたときに該上部支持体５が該腰部支持体７と共に該内側フレーム３０内に嵌るようになす。なお、内側フレーム３０を配設する場合には、前記支軸２５は、腰部支持体７ではなく、該内側フレーム３０に突設する。
【００２６】
上部支持体５を起伏させるための起伏手段１３は、一例として図２に示すように、該内側フレーム３０内に第一雄ねじ棒３１を回転自在かつ進退不能に、該ベッドフレーム１の長さ方向に取り付け、該第一雄ねじ棒３１に第一雌ねじ体３３を螺合させ、該第一雌ねじ体３３に作用杆３５の一端３５ａを回動自在に取り付け、該作用杆３５の他端３５ｂを該上部支持体５の下面に回動自在に取り付けてなるものである。第一雄ねじ棒３１は、適宜のハンドル(図示せず。)等を介して手作業で回転させてもよいが、電気モータ３７により回転させてもよい。なお、起伏手段３０は、好ましくは、内側フレーム３０内に左右一対備えさせる。符号３８に示すものは第一雄ねじ棒３１の軸受である。
【００２７】
腰部支持体７と脚部支持体９とをベッドフレーム１の長さ方向に進退させるための進退手段１５は、一例として図１、図５、図６に示すように、前記ベッドフレーム１に第二雄ねじ棒３９を回転自在かつ進退不能に、該ベッドフレーム１の長さ方向に取り付け、前記内側フレーム３０には第二雌ねじ体４１を取り付け、該第二雌ねじ体４１を該第二雄ねじ棒３９に螺合させてなるものである。第二雄ねじ棒３９は、適宜のハンドル(図示せず。)等を介して手作業で回転させてもよいが、電気モータ４５により回転させてもよい。符号４７に示すものは第二雄ねじ棒３９の軸受である。
【符号の説明】
【００２８】
１  ベッドフレーム
３  案内レール
３ａ  折り返し部
５  上部支持体
７  腰部支持体
９  脚部支持体
１１  被介護者支持体
１３  起伏手段
１５  進退手段
１７  断面略三角形状体
１７ａ  上縁
１９  支軸
２１  可動軸
２３  連結杆
２３ａ  一端
２３ｂ  他端
２５  支軸
２７  可動軸
２９  連結杆
３０  内側フレーム
３１  第一雄ねじ棒
３３  第一雌ねじ体
３５  作用杆
３５ａ  一端
３５ｂ  他端
３７  電気モータ
３８  軸受
３９  第二雄ねじ棒
４１  第二雌ねじ体
４５  電気モータ
４７  軸受
【図１】
2015119907.tif 000003
【図２】
2015119907.tif 000004
【図３】
2015119907.tif 000005
【図４】
2015119907.tif 000006
【図５】
2015119907.tif 000007
【図６】
2015119907.tif 000008